(57)【要約】  赤ちゃん担持ポーチ（４１，３２，１１，１２，２２）を有し、かつ可撓性シート状前片（２２）を含むハーネス（３６，３７，１４）を含むベビーキャリア。前片（２２）が前記前片のシート状態における第一位置と、前片（２２）の下部の外面に対して下方へ折り畳んだ第二位置との間で概ね水平の折り畳み軸（１２４）を中心に折り畳むことのできる上縁部（１２２）を有し、前記前片の上縁部（１２２）のそれぞれの側部を前記第一および第二位置においてハーネスのそれぞれの隣接部に取り外し自在に連結するための手段（７０，８０）が設けられている。前片の上縁部（１２２）は折り畳み軸（１２４）から、前記上縁部と概ね平行に延在する自由縁に向かう方向へ延在する強化部（２２３）を含む。
2008516725.tif 000002
【特許請求の範囲】
【請求項１】
赤ちゃん担持ポーチ（４１，３２，１１，１２，２２）を有し、可撓性シート状前片（２２）を含むハーネス（３６，３７，１４）を含むベビーキャリアであって、前片（２２）がテキスタイルカバー（２２５）を備えたバネ弾性材（２２４）を含みかつ前記前片のシート状面における第一位置と、前片（２２）の下部の外側へ向かって下方へ折り畳んだ第二位置との間で概ね水平の折り畳み軸（１２４）を中心に折り畳むことのできる上縁部（１２２）を有し、前記前片の上縁部（１２２）のそれぞれの側部を前記第一および第二位置においてハーネスのそれぞれの隣接部に取り外し自在に連結するための手段（７０，８０）が設けられたベビーキャリアにおいて、
前片の上縁部（１２２）は、前記上縁部と概ね平行に折り畳み軸（１２４）から自由縁へ向かう方向に延在する強化部（２２３）を含むことを特徴とする、ベビーキャリア。
【請求項２】
前記強化部（２２３）は前記前片の上縁部（１２２）の幅の中央領域上に延在するシート状層を含むことを特徴とする、請求項１によるベビーキャリア。
【請求項３】
前記強化部（２２３）は前記前片のシート状面の対称面から概ね等間隔の一対の概ね平行の細片を含むことを特徴とする、請求項１によるベビーキャリア。
【請求項４】
前記強化部（２２３）は前記前片の上縁部（１２２）の自由縁まで延在することを特徴とする、請求項１−３のいずれか１によるベビーキャリア。
【請求項５】
前記強化部（２２３）は前記前片の外側に設置されていることを特徴とする、請求項１−４のいずれか１によるベビーキャリア。
【発明の詳細な説明】
【技術分野】
【０００１】
本発明は、赤ちゃん担持ポーチを有し、かつ可撓性シート状前片を含むハーネスを有し、前片が前片のシート状面にある第一位置と、前片の下部の外側に対して下方へ折り畳んだ第二位置との間で概ね水平の折り畳み軸を中心に折り畳むことのできる上縁部を有し、前片の上縁部のそれぞれの側部を第一および第二位置においてハーネスのそれぞれの隣接部に取り外し自在に連結するための手段が設けられたベビーキャリアに関する。
【背景技術】
【０００２】
実際に以前から知られているかかるベビーキャリアの前片は、布または布帛によるカバーを有する一枚のプラスチックフォーム等を含み、前片は弾性的可撓性であり、概ねフラット状態のときにシート状状態を維持しようとする。プラスチックフォームシートはその表面に対して直角の圧縮に対して弾力的柔軟性であり、かつ前片をある程度ハーネスにより担持される赤ちゃんの形状に適合させて、赤ちゃんを快適にする。シート状状態で、前片は、好適には、ポーチに担持される赤ちゃんの頭部を縁部が支持するレベルまで上方へ伸張する。前片の上縁部の両側端は、上縁部の上方へ伸張した位置と下方へ折り畳んだ位置の両位置において、ハーネスそれ自体の隣接部へ取り外し自在に締結され、可能であれば、それぞれの側の相互に類似の締結点へ締結される。前片の潜在的バネ状可撓性が前片を上方起立状態へ向けて付勢し、他方で上縁部の下方への折り畳みを可能にし、例えばポーチ内に座らせた赤ちゃんの頭部を露出させるようにする。
【０００３】
上縁部の折り畳みは、前片の上縁部の側端領域の締結点間の概ね直線により達成される。しかし、上縁部の下方へ折り畳んだ状態において折り畳み領域は時間と共に、特にその幅の中央領域において、上方へカールまたは巻回する傾向がある。下方へ折り畳まれた上縁部の上方へのカールまたは巻回する傾向は、可撓性前片が、前片にシート状状態になる傾向を付与する弾力的なバネ様弾性を与えるときに発生する。
【発明の開示】
【発明が解決しようとする課題】
【０００４】
従って、本発明の課題は、前片による上縁部を起立位置へ伸張させる潜在的傾向を保持しながら、上縁領域が下方へ折り畳まれたときに折り畳み領域の中央部が上方へカールしまたはロールするのを阻止することにある。
【課題を解決するための手段】
【０００５】
上記課題は、本発明によって完全または一部達成される。
【０００６】
本発明は添付の特許請求の範囲の独立請求項に規定されている。
【０００７】
本発明の例示形態は添付の特許請求の範囲の従属請求項から明らかである。
【０００８】
本発明は、折り畳み軸の領域から、折り畳み軸に概ね平行である自由縁へ向かう方向に延在する強化手段を有する前片の上縁部を提供することを含む。上縁部の強化手段は、前片の「蝶番式領域」が前片の幅の中央領域において上方へ移動することを阻止すると共に、前片の望ましい属性を長期間維持可能にする。
【０００９】
前片の上縁部と前片の下部との間の折り畳み軸は、前片のそれぞれの側縁間リセスの底部に、通常、水平に延在する。前片は、通常、折り畳み軸の直ぐ下の前片のそれぞれの側とその近傍のハーネスの部分とに取り外し自在のファスナ要素を有する。上縁部の両側は、通常、上縁部の上に伸張した状態または下に折り曲げた状態において、ハーネスの近傍部分へ連結するために取り外し自在ファスナ手段に連結できる。これに関連して、上縁部は、前片が上に折り曲げた状態（伸張状態）または下に折り曲げた状態であるか否かと関係なく関連する共働ハーネス取り付け連結手段に結合できるファスナを含む。これは、折り畳み軸上に上縁部の締結手段を設置することによって達成できる。
【発明を実施するための最良の形態】
【００１０】
次に、添付図面を参照して本発明を例示として説明する。
【００１１】
図１は、ＷＯ−０３／００３８８０ＡＬによるベビーキャリアを示し、二つの胸紐３１を含み、二つの胸紐は、着用者の胸のそれぞれ側に対して概ね垂直に伸張することが意図されている。各胸紐３１は着用者の肩上に延びかつ着用者の背中上で相互に交差する。図示ベビーキャリアは着用者の背中上で相互に交差する紐部３６を一緒に保持する取付具１４を含み、それにより紐部３６は取付具１４により交差した後に着用者の腰まわりへ延長し、かつ腰まわりに伸張する紐部３７は連結取付具１１，１１’と結合し、連結取付具１１，１１’にはそれぞれの胸紐３１の下部が同様に連結される。
【００１２】
腰まわりに伸張する紐部３７は紐部３７の長手の調節を容易にする調節取付具３を含むのが便利である。
【００１３】
連結取付具１１，１１’はホルダ１０の対応する連結取付具１２，１２’に取り外し自在に連結される。ホルダ１０は長さ調節取付具１３を介して前片２２の細片状中央下部２１を受ける。前片２２は布または布帛等による可撓性片を含んでよく、可撓性片の内部は概ね三角形に形成され、三角形の上隅２５は連結部材４１，４１’を有し、連結部材４１，４１’は、前片が安全な赤ちゃん担持ポーチを形成するように、それぞれの胸紐３１上に形成された深いポケット３２内にポケット３２上に位置するそれぞれのポケット入口開口３３を介して受けることのできる下方へ長く垂れたフィンガ４３を実質的に有する。
【００１４】
前片２２は、更に、折り線１２４、即ち、折り畳み軸１２４を介して前片２２の下部へ向かって下方へ折り曲げる、または前片２２の下部から上方へ折り曲げることのできる上縁部１２２を含む。
【００１５】
赤ちゃんの脚を入れるための開口は、取付具１２，２５，１２’，７５’間の領域で、それぞれの胸紐３１と前片２２との間に形成される。上縁部１２２は、赤ちゃんが目覚めるときに下方へ折り曲げられる。赤ちゃんが休息および睡眠を望む場合には、上縁部１２２は上方へ折り曲げることができ、かつ次に上縁部１２２の二つの側端１２５は胸紐３１の近傍部分の側端１２５へ、一方が側端１２５の先端に連結された連結具７０および他方が胸紐３１に連結された連結具８０で構成される取り外し自在の二部材構成による連結手段によって、連結できる。
【００１６】
上縁部１２２は、少なくとも側端１２５に関し、かつ折り線１２４を中心とする上縁部の折り畳みに対して、可撓性である。連結具７０，８０は上縁部１２２と共働して小さな赤ちゃんかつ／または睡眠中の赤ちゃんのヘッドレストを形成する。
【００１７】
理解されるように、紐調節装置６０は、上縁部１２２が前片２２の下部へ向かって折り畳まれるときにアクセスできかつ操縦できるものであり、そのようにして必要に応じて上方を向いたポーチの開口の寸法の調節を可能にする。
【００１８】
特に好適形態によれば、連結手段は、代表例として、ポスト８０として形成され、そしてポスト８０のまわりに取り外し自在に連結できるリング形フラット連結具７０を含む構成である。
【００１９】
この設計の結果として、連結具７０は、連結具７０のリング開口の水平直径に概ね対応する回転軸を中心に１８０°相違する二つの回転位置でポスト８０に連結できる。連結具７０は、前片がフラット状態のときに、前片２２を通る折り線１２４の領域に位置するように取り付けられる。連結具７０は上縁部の側端１２５に回転不可に連結されるので、連結装置７０，８０は、折り線１２４を中心に下方へ折り曲げた状態で上縁部１２２を保持することに寄与する。弾力的可撓性を有する前片２２は、前片の固有の弾力効果として、上縁部１２２を図１に示された上方へ折り曲げた状態で維持する性質を有する。
【００２０】
図１に示されたように、中央の水平紐調節装置６０’はフック取付具４１，４１’のレベル、即ちキャリアのポーチの実際の上縁レベルにある。紐調節装置６０’は、このレベルでのポーチの開口の有効境界線まで選択的調節を可能にする。
【００２１】
選択的、または付加的に、前片の一方側または両側で紐調節装置６０”がこのレベルで設けられてよく、紐調節装置６０”は一端でそれぞれのフック取付具に連結される。
【００２２】
紐調節装置６０’，６０”は紐調節装置６０に対応するが、紐調節装置間で前片へ結合される材料片のパターン変更が可能である。
【００２３】
図１から理解されるように、前片の側端１２５および関連する連結具７０は、前片の上縁部１２２が下方へ折り畳まれるか否かに依存して、幾つかの異なる半径方向において関連するポスト８０へ係合する。連結具７０がポスト８０を中心とする相対的回転と関係なくかつ連結具７０の本体の主面がポストの根元部分に対面するか否かと関係なくポストへ取り付けることができ、またポストから取り外すことができるので、本体７０のポスト８０への取り付け、そしてポスト８０から取り外しはより一層容易になる。
【００２４】
図１には前片２２の幅を横切りかつ折り線１２４の上方に垂直に配向された中央領域２２２が示されている。この中央領域２２２は剛性手段を含み、剛性手段はこの事例において、中央領域の縁２２６間に延在する薄い要素２２３の形態を有する。この薄い要素は、図２および３に示されたように、前片のプラスチックフォームシート２２４の外側に好適に設置される。ただし、前片のコア２２４上の被覆層２２５の内方に設置されることが望ましい。
【００２５】
薄い要素２２３は縁２２６に沿ってシームにより前片へ結合され、かつ／または接着かつ／または溶接されてよい。
【００２６】
薄い要素２２３は折り線１２４から前片の折り畳み可能部、即ち上縁部１２２の自由縁の方向へ垂直に延在する。要素２２３は、特に自由縁に直角の折り畳み可能部１２２に強度を付与することが望まれる場合に、自由縁の領域まで直角に延在してよい。
【００２７】
薄い要素、即ち強化要素２２３は、初期に折り線１２４により上方に形成される折り畳み領域の移動を妨害もしくは阻止する機能を有する。この作用は、ポーチ内に座らせた赤ちゃんにより加わる負荷に応答して締結取付具４０，４１’，７０を介して前片上に働く力の作用によりかかる折り曲げを不可能にする屈曲剛性を、上縁部１２２に付与する強化手段によって達成される。
【００２８】
強化手段の他の形態として、強化手段は、中央領域の縁２２６とかかる縁２２６を越えた側方との間で折り畳み可能部１２２に相対的に高程度の可撓性と柔軟性を維持することが特に望まれる場合に、それぞれの側縁２２６の領域に位置する相対的に狭い強化要素の形態を有してよい。
【図面の簡単な説明】
【００２９】
【図１】本発明によるベビーキャリアを示す。
【図２】図１のII-II線に沿った断面図であり、前片の上縁の上方へ折り畳んだ状態におけるハーネス前片上の赤ちゃん担持ポーチを示す。
【図３】図１のII-II線に沿った断面図であり、前片の上縁の下方へ折り曲げた状態におけるハーネス前片上の赤ちゃん担持ポーチを示す。
【図１】
2008516725.tif 000003
【図２】
2008516725.tif 000004
【図３】
2008516725.tif 000005
【国際調査報告】
2008516725.tif 000006
2008516725.tif 000007
2008516725.tif 000008